(57)【特許請求の範囲】
【請求項１】
電線接続部の異常発熱により形状記憶合金が変形して発熱状態を目視により確認させる電線接続部の異常発熱検知装置において、
前記電線接続部に密着して取り付け可能で良好な熱伝導性を有する枠体と、
前記電線接続部に伏した待機位置と電線接続部から立ち上がった検知位置との間で変位可能に前記枠体上に支持される表示片と、
前記表示片の立ち上がりを阻止する干渉位置に前記枠体と平行に固定され、前記電線接続部の発熱により枠体と平行なまま変形して干渉位置から離脱し、表示片の立ち上がりを許容する形状記憶合金を含むトリガ片と、
一端が前記枠体に係止され、他端に前記表示片を支持し、表示片を立ち上げ方向に付勢し、前記トリガ片の変形により表示片を検知位置へ跳ね上げるねじりばねとを具備することを特徴とする電線接続部の異常発熱検知装置。
【請求項２】
前記枠体を前記電線接続部に固定するために、電線接続部の圧縮接続用スリーブの周りに巻き留められる取付バンドを具備することを特徴とする請求項１に記載の電線接続部の異常発熱検知装置。
【請求項３】
前記枠体を前記電線接続部に固定するために、電線接続部の接続用ボルトのねじ軸を貫通させてボルト頭部で締め留められるリング板を具備することを特徴とする請求項１に記載の電線接続部の異常発熱検知装置。
【発明の詳細な説明】
【技術分野】
【０００１】
本発明は、架空送電線等の電線の接続部における温度監視を形状記憶合金を用いて行う異常発熱検知装置に関するものである。
【背景技術】
【０００２】
例えば鉄塔への電線の引き留めや電線同士の接続等にはスリーブによる圧縮接続が行われる。この電線接続部は導通性の阻害要因により発熱するので、電線接続部の過熱を防止すべく、電線のスリーブに形状記憶合金を装着し、一定温度に達すると形状記憶合金の変形により異常発熱を監視者に知らせる発熱検知装置が知られている（特許文献１）。この装置は、形状記憶合金から成る熱センサをバンド部材でスリーブに巻き留めて密着させ、異常発熱でスリーブの温度が所定温度に達するとＵ字状に変形して圧縮スリーブの表面から立ち上がり、電線接続部の異常発熱を地上で目視確認できる。
【先行技術文献】
【特許文献】
【０００３】
【特許文献１】特開平２−１８３９７３号公報
【発明の概要】
【発明が解決しようとする課題】
【０００４】
上記従来の発熱検知装置においては、異常発熱時に立ち上げる熱センサ体全体を形状記憶合金であるニッケル−チタン合金で構成しているので、ジュール熱及び太陽光の輻射熱によって形状記憶合金の変形が開始し、直立に至らない途上位置に立ち上がって、異常過熱か否かの判別できない状態になることがある。また、熱センサ体を目視可能に構成するため、形状記憶合金の使用量が多く製作コストの削減の障害になる。さらに、装置がバンドを巻き留めて装着されるので、装着部位がスリーブに限られ、接続端子などの他の部位に適用し難い等の難点がある。
そこで、本発明は、発熱状態を確実に検知してこれを明確に目視確認させると共に、形状記憶合金の使用を可及的に少なくしてコストを削減し、さらに密着した状態で取り付ける装着部位の自由度を拡大する電線接続部の発熱検知装置を提供するものである。
【課題を解決するための手段】
【０００５】
上記課題を解決するため、本発明は、電線接続部の異常発熱により形状記憶合金が変形して目視により発熱状態を確認させる電線接続部の異常発熱検知装置１において、電線接続部に密着して取り付け可能で良好な熱伝導性を有する枠体２を備え、この枠体２に電線接続部の発熱によりその自由端部が変形する形状記憶合金を含むトリガ片３の基端部を固定し、また表示片５を電線接続部に伏した待機位置と電線接続部から立ち上がった検知位置との間で変位可能に枠体２上に支持し、トリガ片３を表示片５に係合させて表示片５の待機位置から検知位置への変位を阻止し、トリガ片３の変形により検知位置への変位を許容することとし、さらに表示片５をばね部材４により待機位置から検知位置に向けて付勢するように構成した。
トリガ片３は、水平方向に変形するように枠体２上に固定し、ばね部材は枠体２上に水平方向に支持されるねじりばね４により構成し、その一端を枠体２に係止し、他端に表示片５を支持させて、表示片５を上方に付勢するものとする。
表示片５は、待機位置においてトリガ片３の下部に配置し、トリガ片３の変形により検知位置へ跳ね上がるようにした。
枠体２を電線接続部に固定するために、電線接続部の圧縮接続用スリーブＣ１の周りに巻き留める取付バンド６を具備させた。
枠体２を電線接続部に固定するために、電線接続部の接続用ボルトＢのねじ軸を貫通させてボルト頭部で締め留めるリング板を具備させた。
【発明の効果】
【０００６】
本発明によれば、表示片をばね部材で付勢した状態でトリガ片に係合させるため、表示片が外れる位置へのトリガ片の変形により、表示片を検知位置に瞬時に出現させるので、異常過熱の判別が明確になる。また、トリガ片は表示片の変位を阻止する程度の小片で足り、高価な形状記憶合金の使用量を可及的に少なくでき、安価に提供することができる。
取付バンドによりスリーブに装着できる他、リング板により接続用ボルトによる凹凸がある接続端子板へも密着して装着できる。
【図面の簡単な説明】
【０００７】
【図１】本発明の異常発熱検知装置の斜視図である。
【図２】異常発熱検知装置の平面図である。
【図３】異常発熱検知装置の正面図である。
【図４】他の実施形態の異常発熱検知装置の斜視図である。
【図５】他の実施形態の異常発熱検知装置の平面図である。
【図６】他の実施形態の異常発熱検知装置の正面図である。
【図７】引き留めクランプの正面図である。
【発明を実施するための形態】
【０００８】
本発明の実施の一形態を図面に基づいて説明する。
図７において、架空送電線の鉄塔への引留クランプＣは略Ｌ字状を成し、一端側に電線を引き留めるために電線端部に圧縮接続されたスリーブＣ１を備え、他端側にジャンパー線Ｊを接続するためのジャンパソケットＳをボルトＢにより固定する接続端子板Ｃ２を備えている。
【０００９】
図１ないし図３に示すように、発熱検知装置１は、スリーブＣ１の電線挿入側の口元に装着するものである。この発熱検知装置１は、電線接続部である引留クランプＣのスリーブＣ１の異常な発熱状態を目視確認させる。発熱検知装置１は、枠体２と、形状記憶合金からなるトリガ片３と、このトリガ片３に係合するねじりばね４と、このねじりばね４の立ち上がり端部に固定された表示片５と、電線接続部に固定するための取付部材である取付バンド６とを具備する。
【００１０】
枠体２は良好な熱伝導性を有する金属板材で構成され、矩形の平坦な座板部７と、座板部７の一端側両縁部からそれぞれ垂直に立ち上がった対向する一対のブラケット８，８と、ブラケット８，８間に渡された支持ピン９と、座板部７の一端縁から垂直に立ち上がった後水平方向に屈曲してブラケット８，８間を結合するカバー板１０とを具備する。ブラケット８，８の下端部には取付バンド６を挿入するための横長のバンド通し８ａが開口する。
【００１１】
トリガ片３は、スリーブＣ１の発熱により設定温度に達したら復帰変形可能な棒状の形状記憶合金からなる。このトリガ片３は、座板部７の他端部の一方の側縁がトリガ片３周りに巻き込んだ固定筒１１で固定されている。トリガ片３の自由端部３ａは、常時枠体２の側方へ突出しており、座板部７上に水平方向に復帰変形する。
【００１２】
ばね部材であるねじりばね４は金属線材で構成され、その中間部に枠体２の支持ピン９に巻かれた弦巻部４ａと、一端部に座板部７に押し当たる係止部４ｂと、他端部にトリガ片３に弾力的に係合するようにクランク上に屈曲して延出する起立部４ｃとを有する。起立部４ｃは、これを水平方向に倒した待機位置と座板部７からほぼ垂直に立ち上がった検知位置との間で変位可能である。ねじりばね４を蓄勢しつつ起立部４ｃを倒しトリガ片３の下方に配置すると、座板部７の一側縁の長手方向に設けられた切欠き７ａ内に収まり、トリガ片３に係合して、待機位置に保持される。
【００１３】
表示片５は金属板材で構成され、起立部４ｃのトリガ片３との係合状態で板面がほぼ水平方向になるように起立部４ｃの先端部に固定されている。
【００１４】
取付バンド６は、ブラケット８，８のバンド通し８ａに通してスリーブＣ１の口元位置に巻かれ両端部が結束され、枠体２をスリーブＣ１に密着させる。
【００１５】
この発熱検知装置１は、取付バンド６によりスリーブＣ１に取り付け、ねじりばね４の起立部４ｃをトリガ片３に係合させた状態で装着する。スリーブＣ１が発熱により所定の温度に達すると、トリガ片３の自由端３ａが枠体２上へ水平方向に変形するので、ねじりばね４のばね力で起立部４ｃが検知位置に瞬時に跳ね起きて、表示片５を立ち上げる。この表示片５により、スリーブＣ１の異常発熱を目視確認できる。トリガ片３はねじりばね４の起立部４ｃの立ち上げを阻止すればよく、小片で足りるから高価な形状記憶合金の使用量を少なく構成できる。
【００１６】
他の実施形態を図４ないし図６に示す。なお、同図中先の実施形態と同一の構成部分については同一符号を付して説明を省略する。
接続クランプＣの接続端子板Ｃ２に装着される発熱検知装置１２は、接続クランプＣをジャンパソケット接続端子Ｓに固定するためのボルトＢで固定する。発熱検知装置１２の枠体２の座板部７には、リング板１３が側方へ延出する。リング板１３は、座板部を構成する良好な熱伝導性を有する金属板材により連続して形成され、ボルトＢのねじ軸を貫通させるボルト孔１３ａを備え、ボルト頭部で抜け止めして締め付け固定される。
【００１７】
この発熱検知装置１２は、リング板１３により接続端子板Ｃ２に取り付け、先と同様にしてねじりばね４の起立部４ｃをトリガ片３に係合させた状態で装着する。接続端子板Ｃ２が発熱により所定の温度に達して、トリガ片３が変形すると、ねじりばね４のばね力で起立部４ｃが瞬時に跳ね上がり、表示片５を立ち上げる。
【産業上の利用可能性】
【００１８】
本発明は、架空送電線等の電線の接続部における温度監視を形状記憶合金を用いて目視確認するのに有効な異常発熱検知装置である。
【符号の説明】
【００１９】
１    発熱検知装置
２    枠体
３    トリガ片
４    ねじりばね
４ｃ  起立部
５    表示片
６    取付バンド
７    座板部
８    ブラケット
８ａ  バンド通し
９    支持ピン
１１    固定筒
１２    発熱検知装置
１３    リング板
１３ａ  ボルト孔
Ｃ    引留クランプ
Ｃ１  スリーブ
Ｃ２  接続端子板
Ｂ    ボルト
【図１】
0005783628.tif 000002
【図２】
0005783628.tif 000003
【図３】
0005783628.tif 000004
【図４】
0005783628.tif 000005
【図５】
0005783628.tif 000006
【図６】
0005783628.tif 000007
【図７】
0005783628.tif 000008